(57)【要約】【課題】屋外からの光が差し込み、採光が良好な玄関ホールを有する建物を提供する。【解決手段】玄関ホール２０の１方向に玄関扉１３が設けられるとともに、他の３方向には居室４０、５０または階段室３０に通じる出入口２１、２２、２３が設けられており、玄関ホール２０と隣接する各居室４０、５０または階段室３０には、屋外から光を入射させる採光部３２、４２、５１が出入口２１、２２、２３と対向して設けられているので、採光部３２、４２、５１から入射した光を出入口２１、２２、２３を通して玄関ホール２０まで届かせることができ、玄関ホール２０の採光を良好にすることができる。特に、玄関ホール２０が建物の中央部に位置していても、この玄関ホール２０の採光を良好にすることができる。【選択図】図１
2005336812.tif 000002
【特許請求の範囲】
【請求項１】
玄関ホールの１方向に玄関扉が設けられるとともに、他の３方向には居室または階段室に通じる出入口が設けられており、玄関ホールと隣接する各居室または階段室には、屋外から光を入射させる採光部が前記出入口と対向して設けられていることを特徴とする建物。
【請求項２】
前記玄関扉の両側部には屋外から光を入射させる採光窓が設けられていることを特徴とする請求項１に記載の建物。
【請求項３】
前記出入口の少なくとも１つには可動仕切りが設けられていることを特徴とする請求項１または２に記載の建物。
【請求項４】
前記可動仕切りは吊り戸であることを特徴とする請求項３に記載の建物。
【請求項５】
前記可動仕切りは光を一部透過させることを特徴とする請求項３または４に記載の建物。
【発明の詳細な説明】
【技術分野】
【０００１】
本発明は、建物に関する。
【背景技術】
【０００２】
従来、戸建て住宅用の建物としては、例えば特許文献１に記載の建物がある。この建物は、中央部に玄関ホールが設けられ、玄関ホールの１方向に玄関扉が設けられるとともに、他の３方向に居室または廊下が設けられている。建物の中央部に玄関ホールを設けることで、玄関ホールを通って各居室間を行き来することができ、動線を良好にすることができる。
【特許文献１】特開平１１−３６６３０号公報
【発明の開示】
【発明が解決しようとする課題】
【０００３】
しかし、特許文献１に記載の建物のように、中央部に玄関ホールがある建物では、３方向に居室や廊下等が設けられるため、屋外からの光が玄関扉以外からは差し込まず、玄関ホールが暗くなってしまう。
【０００４】
本発明の課題は、屋外からの光が差し込み、採光が良好な玄関ホールを有する建物を提供することである。
【課題を解決するための手段】
【０００５】
以上の課題を解決するため、請求項１に記載の発明は、建物であって、図１に示すように、玄関ホール２０の１方向に玄関扉１３が設けられるとともに、他の３方向には居室（キッチン４０、リビング・ダイニング５０）または階段室３０に通じる出入口２１、２２、２３が設けられており、玄関ホール２０と隣接する各居室（キッチン４０、リビング・ダイニング５０）または階段室３０には、屋外から光を入射させる採光部（窓３２、開口部４２、窓５１）が前記出入口２１、２２、２３と対向して設けられていることを特徴とする。
【０００６】
請求項１に記載の発明によれば、玄関ホール２０の１方向に玄関扉１３が設けられるとともに、他の３方向には居室（キッチン４０、リビング・ダイニング５０）または階段室３０に通じる出入口２１、２２、２３が設けられており、玄関ホール２０と隣接する各居室（キッチン４０、リビング・ダイニング５０）または階段室３０には、屋外から光を入射させる採光部（窓３２、開口部４２、窓５１）が出入口２１、２２、２３と対向して設けられているので、採光部（窓３２、開口部４２、窓５１）から入射した光を出入口２１、２２、２３を通して玄関ホール２０まで届かせることができ、玄関ホール２０の採光を良好にすることができる。特に、玄関ホール２０が建物の中央部に位置していても、この玄関ホール２０の採光を良好にすることができる。
【０００７】
請求項２に記載の発明は、請求項１に記載の建物であって、前記玄関扉１３の両側部には屋外から光を入射させる採光窓１４が設けられていることを特徴とする。
【０００８】
請求項２に記載の発明によれば、玄関扉１３の両側部に屋外から光を入射させる採光窓１４が設けられているので、採光窓１４から入射した光を玄関ホール２０まで届かせることができ、玄関ホール２０の採光を良好にすることができる。
【０００９】
請求項３に記載の発明は、請求項１または２に記載の建物であって、前記出入口の少なくとも１つ（出入口２３）には可動仕切り（布製吊り戸２４）が設けられていることを特徴とする。
【００１０】
請求項３に記載の発明によれば、前記出入口の少なくとも１つ（出入口２３）には可動仕切り（布製吊り戸２４）が設けられているので、玄関ホール２０と、玄関ホール２０に隣接する居室（リビング・ダイニング５０）とを一体の空間にしたり、あるいは仕切ったりすることができる。
【００１１】
請求項４に記載の発明は、請求項３に記載の建物であって、前記可動仕切りは吊り戸（布製吊り戸２４）であることを特徴とする。
【００１２】
請求項４に記載の発明によれば、可動仕切りが吊り戸（布製吊り戸２４）であるので、出入口２３部分の床に可動仕切りを動かすためのレール等を設ける必要がなく、平坦に仕上げることができる。
【００１３】
請求項５に記載の発明は、請求項３または４に記載の建物であって、前記可動仕切り（布製吊り戸２４）は光を一部透過させることを特徴とする。
【００１４】
ここで、光を一部透過させる可動仕切りとしては、例えば曇りガラスや半透明ガラスを用いたものや、和紙等の薄い紙を用いたもの、光を透過させる目地を有する布を用いたものなどがある。
【００１５】
請求項５に記載の発明によれば、可動仕切り（布製吊り戸２４）が光を一部透過させるので、玄関ホール２０と、玄関ホール２０に隣接する居室（リビング・ダイニング５０）とを可動仕切り（布製吊り戸２４）により仕切ったときにも、採光部（窓５１）から入射した光を玄関ホール２０まで届かせることができ、玄関ホール２０の採光を良好にすることができる。
【発明の効果】
【００１６】
本発明によれば、玄関ホールの１方向に玄関扉が設けられるとともに、他の３方向には居室または階段室に通じる出入口が設けられており、玄関ホールと隣接する各居室または階段室には、屋外から光を入射させる採光部が出入口と対向して設けられているので、採光部から入射した光を出入口を通して玄関ホールまで届かせることができ、玄関ホールの採光を良好にすることができる。特に、玄関ホールが建物の中央部に位置していても、この玄関ホールの採光を良好にすることができる。
【００１７】
また、玄関扉の両側部に屋外から光を入射させる採光窓を設けることで、採光窓から入射した光を玄関ホールまで届かせることができ、玄関ホールの採光を良好にすることができる。
【００１８】
さらに、玄関ホールと、玄関ホールに隣接する居室との間の出入口の少なくとも１つには可動仕切りが設けられているので、玄関ホールと居室とを一体の空間にしたり、あるいは仕切ったりすることができる。
【００１９】
そして、可動仕切りが吊り戸であるので、出入口部分の床に可動仕切りを動かすためのレール等を設ける必要がなく、平坦に仕上げることができる。
【００２０】
また、可動仕切りが光を一部透過させるので、玄関ホールと、玄関ホールに隣接する居室とを可動仕切りにより仕切ったときにも、採光窓から入射した光を玄関ホールまで届かせることができ、玄関ホールの採光を良好にすることができる。
【発明を実施するための最良の形態】
【００２１】
以下、本発明の実施の形態について詳細に説明する。図１は本発明の建物を示す１階の間取り図であり、図２は２階の間取り図である。また、この建物の北側部分には、２階よりも高い床レベルのスキップフロアが設けられている。図３はそのスキップフロアを示す間取り図である。
【００２２】
図１において、建物の東側に玄関１０が設けられている。玄関１０は、玄関ポーチ１１と、玄関ポーチ１１から連続する土間床１２と、玄関ポーチ１１と土間床１２との間を仕切る玄関扉１３とからなる。玄関扉１３の両側部には、屋外から光を入射させる採光窓１４が設けられており、建物の中央に設けられた玄関ホール２０の採光を良好にしている。
【００２３】
また、玄関１０の北側には、クローゼット１６が設けられている。クローゼット１６の南半分には、玄関１０から土間床１２が続いており、クローゼット１６の北側の床１６ａは、１階の他の部屋と同じ床高さに形成されている。土間床１２と北側の床１６ａとの境界に上がり框１６ｂが設けられている。
クローゼット１６の北側には、洗面所１７及び納戸１８が設けられている。納戸１８の北側の壁には、窓１８ａが設けられている。また、クローゼット１６の西側には、洗面所及び納戸と、玄関ホール２０とを繋ぐ廊下１９が設けられている。
【００２４】
玄関１０の西側には、玄関ホール２０が設けられている。玄関１０の土間床１２と玄関ホール２０との間には、上がり框１５が設けられている。玄関ホール２０の床は、１階の他の部屋と同じ床高さに形成されている。
【００２５】
玄関ホール２０の北側には、階段室３０が設けられている。階段室３０に設けられた階段は、２階ホール６０へ通じている。また、階段の１階と２階との間の踊り場３１には、玄関ホール２０と階段室３０との間の出入口２１と対向して窓３２が設けられている。このため、窓３２から入射した光を玄関ホール２０まで届かせることができ、玄関ホール２０の採光を良好にすることができる。
階段下の空間は収納スペース２０ａとなっている。収納スペース２０ａの扉は玄関ホール２０に設けられており、玄関ホール２０から荷物を出し入れすることができる。
【００２６】
玄関ホール２０の南側には、キッチン４０が設けられている。キッチン４０の東側には、納戸４１及び勝手口４１ａが設けられている。また、キッチン４０の南側には、玄関ホール２０とキッチン４０との間の出入口２２と対向する位置に、屋外へ通じる開口部４２が設けられている。このため、開口部４２から入射した光を玄関ホール２０まで届かせることができ、玄関ホール２０の採光を良好にすることができる。
【００２７】
玄関ホール２０の西側には、大空間のリビング・ダイニング５０が設けられている。リビング・ダイニング５０の西側には、玄関ホール２０とリビング・ダイニング５０との間の出入口２３と対向する位置に、屋外へ通じる窓５１が設けられている。このため、窓５１から入射した光を玄関ホール２０まで届かせることができ、玄関ホール２０の採光を良好にすることができる。
以上のように、玄関ホール２０に４方向から光を差し込ませるため、非常に明るい玄関ホールにすることができる。
【００２８】
また、玄関ホール２０とリビング・ダイニング５０との間の出入口２３には、可動式の布製吊り戸２４が設けられている。この布製吊り戸２４は、玄関ホール２０と、リビング・ダイニング５０とを仕切ったり、あるいは、玄関ホール２０とリビング・ダイニング５０とを一体の空間にしたりすることができる。このため、例えば普段は玄関ホール２０とリビング・ダイニング５０とを一体にして大空間の部屋を形成することができるとともに、来客時には玄関ホール２０とリビング・ダイニング５０とを仕切り、リビング・ダイニング５０を隠すことができ、プライバシーを保護することができる。
【００２９】
この布製吊り戸２４は、天井から吊られているため、出入口２３部分の床には吊り戸を動かすためのレール等を設ける必要がなく、平坦に仕上げることができる。また、この布製吊り戸２４は、布の目地から光を透過させるため、玄関ホール２０と、リビング・ダイニング５０とを仕切った場合でも、窓から入射した光を玄関ホール２０まで届かせることができる。
【００３０】
リビング・ダイニング５０の北側部分は、図２に示すように、約１．５階分の天井高さを有する吹き抜け５２になっている。吹き抜け５２の南側部分には、２階の畳スペース１０１へ通じる換気ガラリ５２ａが設けられている。また、吹き抜け５２の上部はスキップフロアになっており、図３に示すように、バルコニー１３０が設けられている。
また、リビング・ダイニング５０の北側部分の西側の壁には、屋外へ通じる開口部５４が設けられている。
【００３１】
リビング・ダイニング５０の南側部分は、キッチン４０と一体化している。リビング・ダイニング５０の南側部分の西側の壁に沿って、壁面収納５３が設けられている。リビング・ダイニング５０の南側には、屋外へ通じる開口部５５が設けられている。
【００３２】
リビング・ダイニング５０及びキッチン４０の南側には、デッキスペース４３が設けられている。デッキスペース４３の高さは、リビング・ダイニング５０及びキッチン４０の床高さに等しく、屋内外の空間を一体に見せることができる。
【００３３】
玄関ホール２０の真上には、２階ホール６０が設けられている。２階ホール６０の東側には、玄関１０の上部に相当する位置にインナーバルコニー７０が設けられている。玄関ホール２０とインナーバルコニー７０とはガラス窓７１で仕切られており、インナーバルコニー７０の東側には、屋外に通じる開口部７２が設けられている。このため、開口部７２からインナーバルコニー７０に入射した光を２階ホール６０まで届かせることができ、２階ホール６０の採光を良好にすることができる。
【００３４】
インナーバルコニー７０の南側には、浴室８１が設けられている。浴室８１とインナーバルコニー７０との間には、窓８２が設けられている。この窓８２を通して浴室８１からインナーバルコニー７０を眺めることができるが、インナーバルコニー７０が建物の東側の外壁から入り込んだ位置に設けられているため、屋外から浴室８１を見ることはできない。したがって、プライバシーを守りながら、浴室８１からインナーバルコニー７０を眺めることができ、浴室８１を広く感じさせることができる。
【００３５】
浴室８１の出入口は、南側に設けられている。浴室８１の南側には、トイレ８３や洗面所８４などが一体となったサニタリースペース８０が設けられている。サニタリースペース８０の南側の壁は、鏡張りになっている。サニタリースペース８０と２階ホール６０との間は、廊下８５で結ばれている。この廊下８５は南北方向に一直線に設けられているため、２階ホール６０からサニタリースペース８０の鏡を見ることができるため、見る人に実際よりも奥行きがある印象を与えることができる。
廊下８５と浴室８１との間には、収納スペース８６が設けられている。
【００３６】
２階ホール６０の南西側には、居室１００が設けられている。また、２階ホール６０の南側には、ウォークスルークローゼット９０が設けられている。ウォークスルークローゼット９０には、廊下８５側の出入口９１と、居室１００側の出入口９２とが設けられている。このため、ウォークスルークローゼット９０からサニタリースペース８０へ着替えを持ち出したり、洗濯した物をウォークスルークローゼット９０へ収納したりすることができる。あるいは入浴後にウォークスルークローゼット９０に入り、ウォークスルークローゼット９０内で着替えや化粧を行ってから居室１００に入ることができる。
【００３７】
２階ホール６０の西側には、畳スペース１０１が設けられている。畳スペース１０１と２階ホール６０との間には仕切りがなく、また畳スペース１０１の西側には窓１０２が設けられている。このため、窓１０２から入射した光を２階ホール６０まで届かせることができ、２階ホール６０の採光を良好にすることができる。
【００３８】
２階の北東には、２階の床と、スキップフロアとの間に形成された収納所１１０が設けられている。収納所１１０は約０．５階分の天井高さであり、大人が立って歩くには困難であるが、２階の他の部屋と床高さが等しいため、専用のワゴン等を用いて容易に荷物を出し入れすることができる。
収納所１１０の上部には、図３に示すように、居室１４０が設けられている。
【００３９】
２階ホール６０の北側には、スキップフロアへ上がる階段が設けられている。階段を上がった踊り場１２０の東側には居室１４０が、西側にはバルコニー１３０が設けられている。また、踊り場１２０には窓１２１が設けられている。このため、窓１２１から入射した光を２階ホール６０まで届かせることができ、２階ホール６０の採光を良好にすることができる。
【００４０】
なお、以上の実施の形態においては、２階ホール６０の南側にウォークスルークローゼット９０を設けたが、代わりに居室を設けるとともに窓を設け、２階ホール６０の採光をより良好にしてもよい。またその他の間取りや方角についても適宜変更可能であることはもちろんである。
【図面の簡単な説明】
【００４１】
【図１】本発明の建物を示す１階の間取り図である。
【図２】本発明の建物を示す２階の間取り図である。
【図３】本発明の建物を示す２階上部のスキップフロアの間取り図である。
【符号の説明】
【００４２】
１３   玄関扉
１４   採光窓
２０   玄関ホール
２１、２２、２３     出入口
２４   布製吊り戸
３０   階段室
３２、５１    窓
４０   キッチン
４２   開口部
５０   リビング・ダイニング
【図１】
2005336812.tif 000003
【図２】
2005336812.tif 000004
【図３】
2005336812.tif 000005